(57)【要約】【課題】不法侵入した者が、窃盗などの行為を行うことができないで退散してしまうようにする侵入者撃退装置を提供することである。【解決手段】侵入状況を検出する第１のセンサ１と、接近状況を検出する第２のセンサ２と、第１のセンサが侵入を検出した時に発光する発光手段４と、第１のセンサが侵入を検出した時点で加熱を開始し、第２のセンサが接近を検出し、かつ、加熱温度が所定値に達したとき噴霧動作を開始する噴霧手段５とを備えた。【選択図】  図１
2004287896.tif 000002
【特許請求の範囲】
【請求項１】
侵入状況を検出する第１のセンサと、接近状況を検出する第２のセンサと、第１のセンサが侵入を検出した時に発光する発光手段と、第１のセンサが侵入を検出した時点で加熱を開始し、第２のセンサが接近を検出し、かつ、加熱温度が所定値に達したとき噴霧動作を開始する噴霧手段とを備えた侵入者撃退装置。
【請求項２】
噴霧手段は、第１のセンサが侵入を検出してから所定時間内に第２のセンサが接近を検出しなかったとき加熱を中止する請求項１に記載の侵入者撃退装置。
【請求項３】
両面に発熱部を備えた一対の板状ヒーターと、これらのヒーター間に設け、かつ、中央に気化通路を設けた第１の蓄熱体と、この第１の蓄熱体との間で上記各板状ヒーターを挟み込む一対の第２の蓄熱体と、上記気化通路に液体を供給する液体供給手段とを備え、上記気化通路が所定温度に達してからこの気化通路に液体を通過させ、噴霧する侵入者撃退装置。
【請求項４】
波長６００（ｎｍ）以上の可視光を発光する発光部と、発光部の発光を点滅させるための発光制御部とを備え、この発光制御部は、上記発光の点滅周波数を１０（Ｈｚ）以上２０（Ｈｚ）以下に制御する侵入者撃退装置。
【請求項５】
波長６００（ｎｍ）以上の可視光を発光する発光部と、波長４２０（ｎｍ）以上４９０（ｎｍ）以下の光を発光する発光部と、上記両発光部の発光を点滅させるための発光制御部とを備え、この発光制御部は、両発光部を点滅周波数１０（Ｈｚ）以上２０（Ｈｚ）以下の周波数で、交互に点滅させる侵入者撃退装置。
【発明の詳細な説明】
【０００１】
【発明の属する技術分野】
この発明は、不法に侵入した侵入者を撃退するための侵入者撃退装置に関する。
【０００２】
【従来の技術】
防犯システムとして、例えば、監視カメラや、その他のセンサで、侵入者を検出したら、その現場から離れた場所にある警備会社や、個人の携帯電話などに通報するものがあった。このようなシステムでは、警備員などが侵入現場に到着するまでに時間を要するため、侵入者の窃盗等の行為を阻止できない場合がほとんどであった。
それに対し、センサが侵入を検出したときに、大音響を発したり、ライトを点灯させたりして、侵入者を威嚇するシステムもあった。このようなシステムでは、侵入者は、その音響や明るさ自体に驚いたり、音響やライトによって、他者に気づかれてしまうのではないかということを心配したりして、十分な作業ができないまま逃げ去ることを期待していた。
【０００３】
【特許文献１】
特開２００３−０１６５４２号公報
【０００４】
【発明が解決しようとする課題】
上記のような大音響や、ライトによって、侵入者を動揺させるシステムでは、侵入者の精神的動揺は一時であり、他人が駆けつけない限り、音響が鳴っていたり、ライトがついていたりしたからといって、現場での作業ができないということはない。そのため、窃盗などの行為を行わせないで撃退しようとする目的を十分に発揮することはできなかった。
この発明の目的は、不法侵入した者が、窃盗などの行為を行うことができないで退散してしまうようにする侵入者撃退装置を提供することである。
【０００５】
【課題を解決するための手段】
第１の発明は、侵入状況を検出する第１のセンサと、接近状況を検出する第２のセンサと、第１のセンサが侵入を検出した時に発光する発光手段と、第１のセンサが侵入を検出した時点で加熱を開始し、第２のセンサが接近を検出し、かつ、加熱温度が所定値に達したとき噴霧動作を開始する噴霧手段とを備えた点に特徴を有する。
第２の発明は、第１の発明を前提とし、噴霧手段は、第１のセンサが侵入を検出してから所定時間内に第２のセンサが接近を検出しなかったとき加熱を中止する点に特徴を有する。
【０００６】
第３の発明は、両面に発熱部を備えた一対の板状ヒーターと、これらのヒーター間に設け、かつ、中央に気化通路を設けた第１の蓄熱体と、この第１の蓄熱体との間で上記各板状ヒーターを挟み込む一対の第２の蓄熱体と、上記気化通路に液体を供給する液体供給手段とを備え、上記気化通路が所定温度に達してからこの気化通路に液体を通過させ、噴霧する点に特徴を有する。
【０００７】
第４の発明は、波長６００（ｎｍ）以上の可視光を発光する発光部と、発光部の発光を点滅させるための発光制御部とを備え、この発光制御部は、上記発光の点滅周波数を１０（Ｈｚ）以上２０（Ｈｚ）以下に制御する点に特徴を有する。
【０００８】
第５の発明は、波長６００（ｎｍ）以上の可視光を発光する発光部と、波長４２０（ｎｍ）以上４９０（ｎｍ）以下の光を発光する発光部と、上記両発光部の発光を点滅させるための発光制御部とを備え、この発光制御部は、両発光部を点滅周波数１０（Ｈｚ）以上２０（Ｈｚ）以下の周波数で、交互に点滅させる点に特徴を有する。
上記、「両発光部を点滅周波数１０（Ｈｚ）以上２０（Ｈｚ）以下の周波数で、交互に点滅させる」とは、個々の発光部が、周波数１０（Ｈｚ）以上２０（Ｈｚ）以下の周波数で点滅しながら、一方の発光部の点灯時に、他方の発光部は消灯しているという状態のことである。従って、各発光部の点滅周波数は、上記周波数範囲内の任意の周波数であるが、両発光部の点滅周波数は、実質的に、同一にする必要がある。
【０００９】
【発明の実施の形態】
図１〜図３に、この発明の第１実施例を示す。
図１は、第１実施例の、侵入者撃退装置の全体構成を示している。すなわち、この装置は、マイコンなどの制御部３に、第１のセンサ１、第２のセンサ２、発光部４，噴霧部５，手動スイッチ６，表示部７を接続して構成している。
上記第１のセンサ１は、例えば、空き巣などの侵入者の侵入口となる窓や、玄関付近に設置したセンサで、侵入を検出して、その検出信号を制御部３に入力するセンサである。
【００１０】
これに対し、第２のセンサ２は、侵入者が、侵入口よりさらに奧に侵入したことを検出するセンサである。例えば、盗み出そうとする対象に接近したことを検出して、その検出信号を上記制御部３へ入力する。
なお、上記第１、第２のセンサ１，２は、どのような検出原理を利用したものでもかまわない。例えば、光学的に、侵入物体を検出するようなものや、赤外線センサのように、温度によって生物の侵入を検出するセンサなどがある。あるいは、第１のセンサとしては、ドアが開けられたことや、窓が破壊されたことを検出するセンサを用いることもできる。
【００１１】
第１，第２のセンサ１，２の検出原理は、どのようなものでもかまわないが、第１のセンサ１が侵入者を検出する時点と、第２のセンサ２が侵入者を検出する時点とが異なるようにしている。
上記発光部４は、図２に示すように、複数の赤色発光ダイオード４ａにより構成されている。
上記制御部３は、上記第１のセンサ１からの侵入の検出信号の入力があったときには、この赤色発光ダイオード４ａからなる発光部４を点滅させる。つまり、上記制御部３が、この発明の発光制御部の機能を備えている。そして、この第１実施例では、上記発光部４の点滅周期を１２（Ｈｚ）とする。
【００１２】
また、噴霧部５は、図３に示すように、例えば、アルコール系の液体を貯蔵する液体タンク８と、この液体タンク８に接続した液体供給通路９と、ポンプＰと、発熱部１０と、液体の霧を噴出する噴霧ノズル１２とを備えている。
発熱部１０は、中央に気化通路１１を形成した第１の蓄熱体１３を備え、その両側を一対の板状ヒーター１４，１５で挟んでいる。この板状ヒーター１４，１５は、両面を発熱面とするヒーターである。
【００１３】
さらに、上記板状ヒーター１４，１５の外側には、一対の第２の蓄熱体１６，１７をそれぞれ備えている。つまり、一方の板状ヒーター１４を第１の蓄熱体１３と第２の蓄熱体１６とで挟み、もう一方の板状ヒーター１５を第１の蓄熱体１３と第２の蓄熱体１７とで挟んでいる。
なお、上記第１、第２の蓄熱体１３，１６，１７は、熱伝導率が高く、しかも、熱容量も大きな銅などを材料とし、加熱部１０の外周を、図示しない断熱材で囲んでいる。また、気化通路１１の近傍に、温度センサ１８を設け、その検出信号を制御部３に入力するようにしている。
【００１４】
このような噴霧部５の、ポンプＰや、板状ヒーター１４，１５のオン・オフを、上記制御部３が制御し、液体タンク８内の液体を気化通路１１内で気化させて、噴霧ノズル１２から噴霧させるようにしている。したがって、上記噴霧部５と制御部３とによって、第１の発明の噴霧手段を構成している。
【００１５】
なお、図１の手動スイッチ６は、第１、第２のセンサ１，２の検出信号とは関係なく、制御部３に発光部４または噴霧部５を作動させる指示を入力するためのスイッチである。例えば、その家の者が在宅中には、このような侵入者撃退装置を警戒状態にセットしていないのが通常であるが、そのような時に不法な侵入者があった場合には、この手動スイッチ６を用いて、装置を作動させることができるようにしている。
また、表示部７は、この侵入者撃退装置が作動中であることを外部に対して知らせるための、ディスプレイや、ランプなどである。これにより、外出から戻った家人や他の者に、異常状態を知らせることもできる。
ただし、上記手動スイッチ６や、表示部７は、この発明の必須の構成要素ではない。
【００１６】
次に、上記侵入者撃退装置が、警戒状態である時に、侵入者があった場合のこの装置の作用を具体的に説明する。
まず、侵入者があると、第１のセンサ１は、その侵入を検出し、その検出信号を制御部３へ入力する。制御部３は、第１のセンサからの検出信号が入力されたら、その時点で、発光部４の赤色発光ダイオード４ａを、例えば１２（Ｈｚ）周期で点滅させるとともに、発熱部１０の板状ヒーター１４，１５をオンにして、加熱を開始する。
【００１７】
赤色発光ダイオード４ａが、１２（Ｈｚ）で点滅し、発光時の光が直接目に入った場合、人は、一時的に視力低下を起こすとともに、不快感を受けることがある。これは、視野の中に、輝度の高い光が飛び込んできたり、点滅による強い輝度対比があったりすると視力が低下する、グレア光照射による視力低下という現象である。この時、視力が、照射前の１／２までに回復する時間をＴ（ｓ）、色温度７５００Ｋの照射輝度をＬ（ｃｄ／ｍ２）、照射時間をＴ０（ｓ）とすると、Ｔ＝０．４２（Ｌ・Ｔ０）０．２６となることがわかっている。つまり、赤色発光ダイオードの照射によって、一時的に、侵入者の視力が低下し、目的の作業をやりにくくすることができる。また、視力が低下している時間によって、先にオンにした板状ヒーター１４，１５の温度が上昇する時間をかせぐこともできる。
【００１８】
さらに、この第１実施例では、赤色発光ダイオード４ａを、点滅周期１２（Ｈｚ）で点滅させるようにするが、１０（Ｈｚ）〜２０（Ｈｚ）の周期で点滅する赤色の光を見ていると、自律神経症状が誘発され、気分が悪くなる場合があることがわかっている。従って、この時点で侵入者は、気分が悪く、不安になり、思うような作業ができない可能性がある。なお、上記自律神経症状とは、不快感や、意識障害、けいれん発作などであるが、実際には、けいれん発作などが起きる前に、侵入者が退散することを期待している。
【００１９】
そして、上記のような症状を誘発する赤色には、波長６００（ｎｍ）以上の可視光で、いわゆる赤から、赤み掛かったオレンジ色を含む。また、自律神経症状を誘発するために最も有効な点滅周波数は、照射される人によって多少異なるが、実験的に、１０（Ｈｚ）〜２０（Ｈｚ）の範囲に含まれることがわかっている。
ただし、例えば、制御部３が、上記点滅周波数を１０（Ｈｚ）〜２０（Ｈｚ）の範囲内で、ランダムに変更するような制御を行うようにすれば、どのような侵入者に対しても、より効率よく自律神経症状を誘発できる可能性がある。
また、上記のように、発光部４を作動しさせた場合には、制御部３は、発光部４が作動中であることを、例えば、「発光中」というように、表示部７に表示させるようにしてもよい。
【００２０】
このような発光部４の点滅による視力低下や、自律神経症状の誘発にも耐えて、侵入者が、さらに奧へ侵入すると、第２のセンサ２がその接近を検出して、検出信号を上記制御部３へ入力する。制御部３は、第２のセンサ２からの検出信号が入力されたら、加熱部１０の温度センサ１８の検出温度が、所定値、例えば２００℃に達したかどうかを判断する。この温度は、液体を気化して、霧を生成するのに必要な温度である。
【００２１】
検出温度が所定値に達していない場合には、温度が所定値に達するのを待ち、所定値に達したら、ポンプＰを作動させて、噴霧を開始させる（図３）。すなわち、ポンプＰによって、液体タンク８内の液体を気化通路１１に供給すると、この気化通路１１で液体が気化され、噴出ノズル１３から、白い霧が噴霧される。
この霧によって、視界が妨げられるため、侵入者は、それ以上の行動をあきらめて退散する。この霧は、噴霧を中止してから、ある程度の時間が経てば、消えてしまうが、霧の消失速度は、用いる液体の種類によって調節することができる。
【００２２】
また、液体として、アルコールなどの揮発性の高いものを用いることによって、噴霧後に、室内が濡れてしまうことを防止できる。
さらに、上記のように噴霧を開始した時点で、制御部３は、表示部７に対して、噴霧中であることを表示させることもできる。
なお、制御部３は、上記第１のセンサ１からの検出信号が入力されてから、所定時間が経過しても、第２のセンサ２からの検出信号が入力されない場合には、各板状ヒーター１４，１５の加熱を中止するようにしても良い。この場合には、制御部３に、時間計測機能が必要である。そして、このような状態になった原因としては、侵入者が、発光部４の発光によって撃退された場合や、第１のセンサ１が、誤検出してしまった場合などが考えられる。
【００２３】
以上のように、この第１実施例の侵入者撃退装置を用いれば、発光手段と、噴霧手段とによって、侵入者の行動を実質的に妨げて、撃退することができる。従来のように、侵入者の精神的な動揺のみに期待して撃退する場合と比べて、身体的、あるいは、物理的な障害を起こすことによって、例えば、精神的に強靱な侵入者に対しても、撃退効果を上げることを期待できる。
また、上記第１実施例のように、検出範囲の異なる２つのセンサを用いた場合には、侵入者の接近を確実に検出してから、噴霧手段を作動することができる。したがって、第１のセンサの誤検出によって、噴霧手段が作動することを防止できる。
【００２４】
図４は、第２実施例の発光部１９，２０を示した図である。この発光部１９，２０は、図１に示す第１実施例の侵入者撃退装置の発光部４に対応し、その他の構成や作用は、第１実施例と同じなので、ここでは、発光部１９，２０以外の説明は、省略する。
発光部１９は、赤色発光ダイオード４ａによって構成され、発光部２０は、青色発光ダイオード４ｂによって構成されている。つまり、２つの発光部１９，２０を備えている。実際には、同一の基板上に、２色の発光ダイオード４ａ，４ｂを取り付けているが、上記赤色発光ダイオード４ａの部分と、青色発光ダイオード４ｂの部分とを、別々の発光部としている。そして、これら発光部１９，２０は、それぞれ、制御部３（図１参照）が、点滅制御するようにしている。
【００２５】
制御部３は、第１のセンサ１からの検出信号の入力に基づいて、上記発光部１９と２０とを交互に点滅させる。しかも、各発光部１９，２０の点滅周波数を１０（Ｈｚ）以上２０（Ｈｚ）以下の範囲で制御する。
このように、赤色と青色の光を、上記周波数の範囲で交互に点滅させることにより、第１実施例の発光部４と同様に、その光を見た者の自律神経症状を誘発する。
特に、赤色と青色との交互の点滅によると、赤色だけの点滅よりも、激しい自律神経症状を誘発する可能性があることがわかっている。従って、この発光部１９，２０の点滅によって、より確実に、侵入者の行動を制限して撃退できる。
なお、ここで用いる青色とは、波長４９０（ｎｍ）以下の可視光のことである。
【００２６】
また、上記両発光部１９，２０の光が直接目に入れば、グレア光による、視力低下も期待できる。
そして、この発光部１９，２０の点滅により誘発される自律神経症状に耐えた場合にも、噴霧部５の噴霧によって侵入者の作業を妨げて、撃退することができるなど、第１実施例と同様の効果が得られる。
【００２７】
上記第１、第２実施例では、自律神経症状を誘発させる発光手段と、噴霧手段との両者を備えた侵入者撃退装置について説明したが、視界を妨げる噴霧手段があれば、発光手段では、自律神経症状を誘発させなくてもかまわない。従来の発光装置のように、一時的に、精神的動揺を誘って加熱時間をかせぎ、その後、噴霧装置が作動するようにすればよい。
また、上記実施例のように、自律神経症状を誘発する発光部を備えていれば、発光手段だけで、この発明の侵入者撃退装置を構成することもできる。
【００２８】
さらに、第１，第２実施例の噴霧部５を備えた噴霧手段は、発熱面を両面に有する板状ヒーター１４，１５を用いることによって、ヒーターを大型化しないで、十分な発熱量を得られるようにしている。また、これらの板状ヒーター１４，１５を、第１の蓄熱体１３と第２蓄熱体１６，１７とで挟むことによって、十分な蓄熱を実現し、気化通路１１の温度を気化に必要な所定温度に速やかに上げることができる。例えば、従来の噴霧装置では、約２００℃の気化温度に達するまでに、約１時間の予熱時間を必要としていたため、実際には、常時余熱しておかなければならなかった。これに対し、この発明の噴霧部５では、余熱時間が６０（ｓ）で足りるようになった。そのため、侵入を検出してからヒーターの加熱を開始しても、必要な時点での噴霧に間に合わせることができる。
このような噴霧手段は、それだけで、発明の目的を達成する第３の発明の侵入者撃退装置にもなる。
そして、上記噴霧部５における液体タンク８と、液体供給通路９と、ポンプＰとによって、第３の発明の液体供給手段を構成している。
【００２９】
【発明の効果】
第１〜第５の発明によれば、侵入者に対して、身体的、あるいは、物理的に、障害を与えて、侵入者の目的の行動を阻止し、撃退することができるようになる。
特に、第１の発明によれば、発光手段と噴霧手段とによって、より確実に撃退することができる。また、噴霧手段の加熱を、第１のセンサの検出後に開始するようにして、必要以上に加熱しないようにしているのでエネルギーの無駄がない。しかも、噴霧に必要な温度に達するまでの時間を、発光手段によってかせぐこともできる。
【００３０】
第２の発明によれば、侵入者の接近がなく、噴霧手段の必要が無いときに、無駄に加熱を続けることを防止できる。
【００３１】
第３の発明によれば、ヒーターを大きくしなくても、液体の気化に必要な温度に、急速に上げることができるので、装置を大きくすることなく、余熱時間を大幅に短縮することができる。従って、従来の噴霧装置のように、常時、余熱しておくことによるエネルギーの無駄をなくし、しかも、必要な時には、すぐに噴霧させることができるようになる。
【００３２】
第４，第５の発明によれば、発光部の点滅で、一時的な視力の低下や、不安感、不快感を誘発して、侵入者を撃退することができる。
特に、第５の発明によれば、より激しい不安感や不快感を誘発することができるので、さらに確実に侵入者を撃退できる。
【図面の簡単な説明】
【図１】第１実施例の侵入者撃退装置の全体構成図である。
【図２】第１実施例の噴霧手段部分の構成図である。
【図３】第１実施例の発光部の構成図である。
【図４】第２実施例の発光部の構成図である。
【符号の説明】
１          第１のセンサ
２          第２のセンサ
３          制御部
４          発光部
４ａ        赤色発光ダイオード
４ｂ        青色発光ダイオード
５          噴霧部
８          液体タンク
９          液体供給通路
１１        気化通路
１３        第１の蓄熱体
１４，１５  板状ヒーター
１６，１７  第２の蓄熱体
１９，２０  発光部
Ｐ          ポンプ
【図１】
2004287896.tif 000003
【図２】
2004287896.tif 000004
【図３】
2004287896.tif 000005
【図４】
2004287896.tif 000006